(57)【特許請求の範囲】
【請求項１】
枠体を構成し水を室外に排出する水抜き穴を室外に臨む壁部に備えた下枠と、
前記水抜き穴に装着されて排水口を形成する排水口部材と、
前記排水口部材の内部側にて回動自在に設けられ前記排水口を開閉可能な排水弁と、を備え、
前記排水口部材は、前記排水口の上縁をなし前記壁部より室外側に突出する上張出部と、
前記上張出部の下方に前記排水口の各側縁をなし前記壁部より室外側に突出する２つの側張出部と、を有し、
前記側張出部における、前記排水口を閉じた状態で前記排水弁の上側となる面よりも上側、または、前記側張出部よりも上に、前記側張出部に対して前記排水口側と、前記排水口とは反対側と、を連通する空隙が設けられていることを特徴とする建具。
【請求項２】
請求項１に記載の建具であって、
前記側張出部における前記空隙の領域は、当該空隙の下の領域より狭いことを特徴とする建具。
【請求項３】
請求項１または請求項２に記載の建具であって、
前記排水弁の回動軸は、前記排水口の上部に設けられ前記空隙より室内側に位置していることを特徴とする建具。
【請求項４】
請求項１乃至請求項３のいずれかに記載の建具であって、
前記排水弁は、前記排水口を閉じた状態で、室外側に向かって低くなるように傾斜していることを特徴とする建具。
【発明の詳細な説明】
【技術分野】
【０００１】
本発明は、下枠に水抜き穴を備えた建具に関する。
【背景技術】
【０００２】
下枠に水抜き穴を備えた建具としては、下枠の水抜き穴に排水弁を有する排水ブロック体が取り付けられているサッシが知られている（例えば、特許文献１参照）。このサッシでは、ブロック体の正面側上部の左右にて排水弁が回動自在に支持されている。そして、排水弁は、常時閉塞しており、障子を越えて室内側に侵入した水が排水弁を押しやって外部に流れ出るように構成されている。
【先行技術文献】
【特許文献】
【０００３】
【特許文献１】特許第３２２９２２７号公報
【発明の概要】
【発明が解決しようとする課題】
【０００４】
上記のような建具は、強風や特定の方向から吹く風により排水弁が煽られて細かな開閉動作を繰り返す、或いは、排水弁が開いて室内に風が入り込むという課題がある。
本発明は、かかる課題に鑑みてなされたものであり、その目的とするところは、排水弁が煽られにくい建具を提供することにある。
【課題を解決するための手段】
【０００５】
かかる目的を達成するために本発明の建具は、枠体を構成し水を室外に排出する水抜き穴を室外に臨む壁部に備えた下枠と、前記水抜き穴に装着されて排水口を形成する排水口部材と、前記排水口部材の内部側にて回動自在に設けられ前記排水口を開閉可能な排水弁と、を備え、前記排水口部材は、前記排水口の上縁をなし前記壁部より室外側に突出する上張出部と、前記上張出部の下方に前記排水口の各側縁をなし前記壁部より室外側に突出する２つの側張出部と、を有し、前記側張出部における、前記排水口を閉じた状態で前記排水弁の上側となる面よりも上側、または、前記側張出部よりも上に、前記側張出部に対して前記排水口側と、前記排水口とは反対側と、を連通する空隙が設けられていることを特徴とする建具である。
【０００６】
このような建具によれば、水抜き穴に装着されて排水口を形成する排水口部材が排水口の上縁をなす上張出部と側縁をなす側張出部とを有しており、上張出部と２つの側張出部とは水抜き穴が設けられている室外に臨む壁部より室外側に突出しているので、排水口部材の内部側に設けられた排水弁には排水口を横切るように通過する風が当たりにくい。このため、排水弁への風の影響を抑えることが可能である。
【０００７】
また、側張出部には上部に空隙が設けられているので、側方から側張出部に向かう風は、上部側では空隙を通過するが下部側では空隙の下の側張出部に妨げられる。このとき、空隙を通過した風は上張出部の下を通過するので、空隙を通過して広がる際に下方に向かう流れが発生するとともに、下降しつつ流れる風が反対側の側張出部に当たり更に下方に向かう流れが発生する。このため、下方に向かう風の流れが排水弁を押さえる方向に作用するため、排水弁が開くことを防止することが可能である。よって、排水弁がより煽られにくい建具を提供することが可能である。
【０００８】
かかる建具であって、前記側張出部における前記空隙の領域は、当該空隙の下の領域より狭いことが望ましい。
このような建具によれば、側方から側張出部に向かう風は、空隙の領域を通過する風のほうが空隙の下の領域で妨げられる風より少ないので、空隙を通過した風より下が負圧になりやすく、空隙を通過した風をより下方に向かわせることが可能である。
【０００９】
かかる建具であって、前記排水弁の回動軸は、前記排水口の上部に設けられ前記空隙より室内側に位置していることが望ましい。
このような建具によれば、排水弁の回動軸は排水口の上部に設けられ空隙より室内側に位置しているので、空隙を通過する風を確実に排水弁の室外側を通過させることが可能である。
【００１０】
かかる建具であって、前記排水弁は、前記排水口を閉じた状態で、室外側に向かって低くなるように傾斜していることが望ましい。
このような建具によれば、空隙を通過した風により排水弁を下方に押圧して排水弁が開くことを防止することが可能である。また、排水弁が傾斜しているので、鉛直に設けられている場合より回動軸からの長さをより長くすることができる。このため排水弁の自重によっても排水弁が開くことを抑えることが可能である。
【発明の効果】
【００１１】
本発明によれば、排水弁が煽られにくい建具を提供することが可能である。
【図面の簡単な説明】
【００１２】
【図１】本実施形態に係る建具の外観図である。
【図２】本実施形態に係る建具の下部を示す縦断面図である。
【図３】排水弁及び排水口部材を示す斜視図である。
【図４】排水弁及び排水口部材の装着方法及び装着状態を示す図である。
【図５】排水弁及び排水口部材の装着状態を示す縦断面図である。
【発明を実施するための形態】
【００１３】
以下、本発明の一実施形態に係る建具について図面を参照して説明する。
本実施形態の建具１は、例えば、図１、図２に示すような建物等に設けられる枠体としての窓枠２に装着される内障子及び外障子を備えた引き違い窓用の建具１を例に挙げて説明する。
【００１４】
以下の説明においては、建物等の躯体３に取り付けられた状態の建具１を室外側から見たときに、上下となる方向を上下方向、左右となり障子４の下枠５の長手方向を左右方向または長手方向、室内外方向である奥行き方向を見込み方向として示す。建具１の各部位であっても、また、建具１を構成する各部材については単体の状態であっても、建物等に取り付けられた状態にて上下方向、左右方向または長手方向、見込み方向となる方向にて方向を特定して説明する。
【００１５】
窓枠２は、押出成形部材でなる上枠２ａ、下枠５、左右の縦枠２ｂを矩形状に枠組みして形成されている。
下枠５は、内障子４を支持する内レール６ａを備えたアルミニウム製の室内部材６と、外障子４を支持する外レール７ａを備えたアルミニウム製の室外部材７とが、合成樹脂の連結部８を介して一体に成形されている。室外部材７は長手方向に沿って中空部７ｂを備えており、中空部７ｂの室外側の端の上部に網戸９を支持する網戸レール７ｃが設けられ、網戸レール７ｃの下に、網戸レール７ｃより室内側に位置させて、中空部７ｂを形成し室外に臨む壁部としての室外壁部７ｄがほぼ鉛直に設けられている。
【００１６】
室外壁部７ｄの下縁には、室内側に中空部７ｂの下面を形成し室内部材６側から繋がる底部７ｅが設けられており、底部７ｅには室外壁部７ｄの下縁に向かって低くなるように僅かな傾斜が設けられている。また、底部７ｅの上方には中空部７ｂの上面を形成し内レール６ａと外レール７ａとの間に位置する上面部７ｆが設けられている。上面部７ｆには内レール６ａと外レール７ａとの間に進入した、例えば雨水等を中空部７ｂ内に流すための開口(不図示)が設けられている。
【００１７】
室外壁部７ｄの下縁の室外側には、網戸レール７ｃを見込み方向におけるほぼ同じ位置まで延出された延出部７ｇと、延出部７ｇの先端に垂設された水切り７ｈと、が設けられている。すなわち、室外壁部７ｄは網戸レール７ｃと水切り７ｈとの間にて、網戸レール７ｃおよび水切り７ｈより室内側に窪むように設けられている。
【００１８】
下枠５の長手方向における両端部側には、室外壁部７ｄに中空部７ｂと室外とを連通する水抜き穴７ｉがそれぞれ設けられている。２つの水抜き穴７ｉには、それぞれ、上面部７ｆに設けられた開口から底部７ｅに至った水を室外に排出するための排水口１０を延出部７ｇとともに形成する排水口部材２０が嵌合されており、排水口部材２０の内部側に、当該排水口部材２０および延出部７ｇにより形成される排水口１０を開閉可能な排水弁１１が回動自在に設けられている。
【００１９】
排水弁１１は、図３〜図５に示すように、水抜き穴７ｉに嵌合された排水口部材２０において室外壁部７ｄより室内側、すなわち中空部７ｂの内部側にて回動自在に支持される回動軸１１ａと、回動軸１１ａと繋がった弁本体部１１ｂとを有している。
【００２０】
弁本体部１１ｂは、回動軸１１ａが支持されている位置から底部７ｅまでの距離より長く形成されているため、排水口１０を閉じた状態で、室外側に向かって低くなるように傾斜して配置される。また、傾斜したときに上側となる面１１ｃは、上下方向における中央側が窪むように形成されており、排水弁１１の室外側に形成される排水口部材２０の空間がより広く確保されている。排水弁１１は、重心が回動軸１１ａと反対側に偏るように、回動軸１１ａと反対側の端部側の先端が、窪ませた中央部より厚みが厚く形成されている。
【００２１】
排水口部材２０は、合成樹脂製の成形部材であり、水抜き穴７ｉの上縁に沿って配置され排水口１０の上縁を形成する上形成部２１と、下枠５の長手方向において上形成部２１の両側に垂設されて水抜き穴７ｉの側縁に沿って配置され排水口１０の側縁を形成する側形成部２２と、を有している。
【００２２】
上形成部２１は、室外壁部７ｄの室内側に挿入されて嵌合される上嵌合部２１ａと、室外壁部７ｄの室外側に張り出す上張出部２１ｂとを有している。上嵌合部２１ａの上面には、排水口部材２０を水抜き穴７ｉに挿入したときに嵌合するための突起２１ｃが上方に突出させて設けられている。また、上嵌合部２１ａの下面には、排水弁１１が装着されたときに排水弁１１の回動軸１１ａが入り込む凹溝部２１ｄが上方に窪ませて設けられている。
【００２３】
２つの側形成部２２は、左右が反転した対称形状をなしており、室外壁部７ｄの室内側に挿入されて嵌合される側嵌合部２２ａと、室外壁部７ｄの室外側に張り出す側張出部２２ｂとをそれぞれ有している。この側張出部２２ｂは上張出部２１ｂの下方に位置している。側嵌合部２２ａの排水口１０と反対側の面には、排水口部材２０を水抜き穴７ｉに挿入したときに嵌合するための突起２２ｃが側方に突出させて設けられている。
【００２４】
また、側嵌合部２２ａには、室内側に位置させて排水弁１１が有する回動軸１１ａを回動自在に保持する軸受け部２２ｄが設けられており、軸受け部２２ｄは室内側が、回動軸１１ａの直径より僅かに狭く開放されて、室内側から排水弁１１を装着可能に構成されている。さらに側嵌合部２２ａには、排水口１０を閉じた状態の排水弁１１の下面が当接される弁当接部２２ｅが、排水口１０側に互いに対向するように突出させて設けられている。
【００２５】
側張出部２２ｂには、上部に室内側に窪ませた凹部２２ｆにより空隙Ｓが設けられている。より具体的には、側張出部２２ｂの上端部、すなわち上張出部２１ｂの下面より下の室外側に空隙Ｓが設けられている。空隙Ｓを形成する凹部２２ｆが占める領域Ａ１は、側張出部２２ｂにおいて凹部２２ｆより下の領域Ａ２より狭くなるように形成されている。また、排水口部材２０が水抜き穴７ｉに嵌合された際に室外壁部７ｄに当接されるフランジ部２２ｇが、上張出部２１ｂおよび側張出部２２ｂに亘って排水口１０と反対側となる左右の側方に突出させて設けられている。
【００２６】
本実施形態の建具１によれば、水抜き穴７ｉに装着されて排水口１０を形成する排水口部材２０が排水口１０の上縁をなす上張出部２１ｂと排水口１０の側縁をなす側張出部２２ｂとを有しており、上張出部２１ｂと２つの側張出部２２ｂとは水抜き穴７ｉが設けられている室外に臨む室外壁部７ｄより室外側に突出しているので、排水口部材２０の内部側に設けられた排水弁１１には排水口１０を横切るように通過する風が当たりにくい。このため、排水弁１１への風の影響を抑えることが可能である。
【００２７】
また、側張出部２２ｂには上部に空隙Ｓが設けられているので、側方から側張出部２２ｂに向かう風は、上部側では空隙Ｓを通過するが下部側では空隙Ｓ下の側張出部２２ｂに妨げられる。このとき空隙Ｓを通過した風は上張出部２１ｂの下を通過するので、空隙Ｓを通過して広がる際に下方に向かう流れが発生するとともに、下降しつつ流れる風が反対側の側張出部２２ｂに当たり更に下方に向かう流れが発生する。このため、下方に向かう風の流れが排水弁１１を押さえる方向に作用するため、排水弁１１が開くことを防止することが可能である。よって、排水弁１１がより煽られにくい建具１を提供することが可能である。
【００２８】
また、側張出部２２ｂにおける空隙Ｓの領域Ａ１は、当該空隙Ｓの下の領域Ａ２より狭いので、側方から側張出部２２ｂに向かう風は、空隙Ｓの領域Ａ１を通過する風のほうが空隙Ｓの下の領域Ａ２で妨げられる風より少ない。このため空隙Ｓを通過した風の下が負圧になりやすいので、空隙Ｓを通過した風をより下方に向かわせることが可能である。
【００２９】
また、排水弁１１の回動軸１１ａは排水口１０の上部に設けられ空隙Ｓより室内側に位置しているので、空隙Ｓを通過する風を確実に排水弁１１の室外側を通過させることが可能である。
【００３０】
また、排水弁１１は、排水口１０を閉じた状態で室外側に向かって低くなるように傾斜しているので、空隙Ｓを通過した風により排水弁１１を下方に押圧して開くことを防止することが可能である。また、排水弁１１が傾斜しているので、鉛直に設けられている場合よりも回動軸１１ａからの長さを長くすることができる。このため、排水弁１１の自重によっても排水弁１１が開くことを抑えることが可能である。
【００３１】
このように排水弁１１が回動軸１１ａから室外側に向かって低くなるように傾斜した状態で排水口１０を閉じるように設けられていることにより、自重が大きくなり排水弁１１が開きにくくなるばかりでなく、排水弁１１の室外側を下方に向かって通過する風が排水弁１１を上方から押さえるように作用する。このため、より煽られにくい排水弁１１を備えた建具１を提供することが可能である。
【００３２】
上記実施形態においては、障子として引き違い障子４を備えた建具１を例に挙げて説明したが、これに限らず、枠体を備えていれば辷り出し窓、ＦＩＸ窓、開き窓等の他の種類の建具であっても構わない。
【００３３】
また、上記実施形態においては、空隙Ｓの上に側張出部が設けられていない例について説明したが、これに限るものではない。例えば、側張出部２２ｂの上部、より具体的には、排水弁１１が排水口１０を閉じた状態で排水弁１１の上側となる面１１ｃより上側に、側張出部における空隙の下の領域より狭い空隙が設けられていれば、上張出部から繋がった側張出部が空隙の上に設けられていても構わない。また、空隙Ｓは、室外側に開放された凹部でなくとも、例えば貫通孔であっても構わない。
【００３４】
また、上記実施形態においては、排水口部材２０が下枠５の延出部７ｇとともに排水口１０を形成する例について説明したが、排水口部材の２つの側張出部の下端が繋がっていて排水口が形成されていても構わない。
【００３５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３６】
１  建具、２  窓枠、５  下枠、７ｄ  室外壁部、７ｉ  水抜き穴、
１０  排水口、１１  排水弁、１１ａ  回動軸、２０  排水口部材、
２１ｂ  上張出部、２２ｂ  側張出部、２２ｆ  凹部、
Ａ１  空隙の領域、Ａ２  空隙の下の領域、Ｓ  空隙
【図１】
0006449037.tif 000002
【図２】
0006449037.tif 000003
【図３】
0006449037.tif 000004
【図４】
0006449037.tif 000005
【図５】
0006449037.tif 000006